(57)【特許請求の範囲】
【請求項１】
冷蔵庫本体に設けられヒンジを支点として開扉するヒンジ式の回転扉と、冷蔵庫本体に設けられ引き出すことで開扉する引き出し式の引き出し扉と、開扉信号により前記回転扉を開とする第１の自動開扉装置と、開扉信号により前記引き出し扉を開とする第２の自動開扉装置と、前記第１の自動開扉装置に開扉信号を出力する回転扉操作スイッチと、前記第２の自動開扉装置に開扉信号を出力する引き出し扉操作スイッチとを備える冷蔵庫であって、
前記第１の自動開扉装置が有する前記回転扉を前方へ押し出す押し出し部材と、
前記第２の自動開扉装置が有する前記引き出し扉を前方へ押し出す押し出し部材と、
前記第１の自動開扉装置の回転扉の押し出し部材の押し出し速さＶが、前記第２の自動開扉装置の引き出し扉の押し出し部材の押し出し速さＶ１に対し、Ｖ＞Ｖ１の関係となるように制御する制御部と
を有して、前記引き出し扉操作スイッチのスイッチ操作時に開となる前記引き出し扉の扉前端部の開扉速度は、前記回転扉操作スイッチのスイッチ操作時に開となる回転扉のヒンジ点から一番離れた扉端部の開扉速度より遅くなっていることを特徴とする冷蔵庫。
【請求項２】
前記回転扉の開扉速度は２０〜３８ｃｍ／ｓ、引き出し扉の開扉速度は７．８〜１７ｃｍ／ｓとなっていることを特徴とする請求項１記載の冷蔵庫。
【発明の詳細な説明】
【技術分野】
【０００１】
本発明は、ヒンジ式の回転扉と引き出し式の引き出し扉を備えた冷蔵庫に関する。
【背景技術】
【０００２】
一般に冷蔵庫は、冷蔵室、野菜室、冷凍室等を有し、冷蔵室はヒンジ式の回転扉となっていて、ヒンジを支点として開閉可能となっている。野菜室、冷凍室は引き出し式の引き出し扉となっていて、引き出すことで開扉状態が得られるようになっている。
【０００３】
ところで近年は扉を手で直接開ける手段に対して、両手がふさがっていたり、力の弱い子供やお年寄りであってもスイッチを押すと自動開扉装置が働いて楽に開けることができる手段が提案されている（特許文献１参照）。
【特許文献１】特開２００１−２８０８２７号公報
【発明の開示】
【発明が解決しようとする課題】
【０００４】
自動開扉装置は、駆動源にソレノイド又はモータ等が用いられ、操作スイッチからのスイッチ信号が入力されることで扉開扉用の押し出し部材を前方へ向け押し出す働きをする。
【０００５】
自動開扉装置による扉の開扉は、ソレノイド又はモータ等の駆動源による動力に基づいて行われるため、常に一定の開扉速度で開くようになるが、一般に扉を開けるにあたって、扉を開ける速さについては意識したことはなく無意識に開けている。
【０００６】
ところが、ヒンジ式の回転扉と引き出し式の引き出し扉とでは、開ける速さが異なることが、冷蔵庫を開ける時の行動調査結果から判明した。
【０００７】
図５はその実験結果を示したもので、一般家庭の被験者１０名にヒンジ式の回転扉と引き出し式の引き出し扉を開ける時の開扉速度をビデオで撮った結果を示したものである。
【０００８】
縦軸は回転扉と引き出し扉の開扉速度（ｃｍ／ｓ）、具体的な場所は回転扉にあってはヒンジ点から一番離れた扉端部、引き出し扉にあっては引き出し扉の扉前端部を約６２回にわたって観察したものである。
【０００９】
それによると回転扉の開扉速度は２０〜３８ｃｍ／ｓ、引き出し扉は７．８〜１７ｃｍ／ｓとなっており、平均値（棒グラフ）をみると回転扉は約２９ｃｍ／ｓ、引き出し扉は１３ｃｍ／ｓとなり、引き出し扉の方が回転扉より遅いことがわかる。
【００１０】
その理由について、理論的には解明されていないが冷蔵庫を開ける時に無意識の内に回転扉の場合には速く、引き出し扉の場合には遅く開けるよう慣習として身体が覚えているものと思われる。
【００１１】
したがって、自動開扉装置の動力で回転扉及び引き出し扉を同一の開扉速度で開くようにすると違和感を覚えるようになり、使い勝手の悪さにつながる。
【００１２】
そこで、本発明にあっては自動開扉装置を用いて扉を開ける時に違和感なく、しかも、自然に楽に開けることができる冷蔵庫を提供することを目的とする。
【課題を解決するための手段】
【００１３】
前記目的を達成するために、本発明にあっては、冷蔵庫本体に設けられヒンジを支点として開扉するヒンジ式の回転扉と、冷蔵庫本体に設けられ引き出すことで開扉する引き出し式の引き出し扉と、開扉信号により前記回転扉を開とする第１の自動開扉装置と、開扉信号により前記引き出し扉を開とする第２の自動開扉装置と、前記第１の自動開扉装置に開扉信号を出力する回転扉操作スイッチと、前記第２の自動開扉装置に開扉信号を出力する引き出し扉操作スイッチとを備える冷蔵庫であって、前記第１の自動開扉装置が有する前記回転扉を前方へ押し出す押し出し部材と、前記第２の自動開扉装置が有する前記引き出し扉を前方へ押し出す押し出し部材と、前記第１の自動開扉装置の回転扉の押し出し部材の押し出し速さＶが、前記第２の自動開扉装置の引き出し扉の押し出し部材の押し出し速さＶ１に対し、Ｖ＞Ｖ１の関係となるように制御する制御部とを有して、前記引き出し扉操作スイッチのスイッチ操作時に開となる前記引き出し扉の扉前端部の開扉速度は、前記回転扉操作スイッチのスイッチ操作時に開となる回転扉のヒンジ点から一番離れた扉端部の開扉速度より遅くなっていることを特徴とする。
【００１４】
そして好ましい実施形態として、前記回転扉の開扉速度は２０〜３８ｃｍ／ｓ、引き出し扉の開扉速度は７．８〜１７ｃｍ／ｓとする。
【発明の効果】
【００１５】
本発明によれば、回転扉は回転扉操作スイッチをスイッチ操作することで第１の自動開扉装置が作動し楽に開けることができる。引き出し扉は引き出し扉操作スイッチをスイッチ操作することで第２の自動開扉装置が作動し楽に開けることができる。
【００１６】
この第１、第２の自動開扉装置による扉の開扉時において、引き出し扉の開扉速度を回転扉の開扉速度より遅くできるため、扉を手で開ける時と同じように違和感なく自然な開扉動作で扉を開けることができる。
【発明を実施するための最良の形態】
【００１７】
以下、図１乃至図４の図面を参照しながら本発明の実施形態について具体的に説明する。
【００１８】
図２は本発明に係る冷蔵庫を示しており、冷蔵庫本体１は上から順に冷蔵室３、野菜室５、左右一対の切替室７ａ，７ｂ、冷凍室９となっている。
【００１９】
冷蔵室３の前面はヒンジ１２を支点として開閉する回転扉１１となっていて、第１の自動開扉装置１３によって開扉可能となっている。
【００２０】
第１の自動開扉装置１３は冷蔵庫本体１の天板の上にセットされ駆動源となるソレノイド１５とソレノイド１５によって前記回転扉１１を前方へ押し出す押し出し部材１７とを有している。ソレノイド１５は図１に示す如く回転扉操作スイッチ１９のスイッチ操作によって開扉信号が入力されることで押し出し部材１７を前方へ押し出すようになっている。
【００２１】
回転扉操作スイッチ１９は、図４に示す如く回転扉１１の操作パネル部２１に設けられ、回転扉操作スイッチ１９のスイッチ信号が制御部２３に入力されることで、第１の自動開扉装置１３のソレノイド１５に開扉信号が入力される。
【００２２】
一方、野菜室５、切替室７ａ，７ｂ、冷凍室９の前面はそれぞれ引き出し扉２５，２７，２９となっていて各引き出し扉２５，２７，２９の内側には収納容器３１（野菜室のみ示す。図３）が設けられた引き出し式となっている。
【００２３】
引き出し式となる野菜室５、切替室７ａ，７ｂ、冷凍室９の各引き出し扉２５，２７，２９は、第２の自動開扉装置３３によってそれぞれ独立して開扉できるようにすることが望ましいが、全扉に実施するとコストがかかるため、ここでは、コストの面及び利用頻度の観点から代表例として野菜室５に設けられた実施例について説明する。
【００２４】
第２の自動開扉装置３３は野菜室５と切替壁７ａ，７ｂとを仕切る仕切壁３５に設けられ、駆動源となるソレノイド３７とソレノイド３７によって前記引き出し扉２５の裏面を前方へ押し出す押し出し部材３９とを有している。ソレノイド３７は引き出し扉操作スイッチ４１のスイッチ操作によって開扉信号が入力されることで押し出し部材３９を前方へ押し出すようになっている。
【００２５】
引き出し扉操作スイッチ４１は、図４に示す如く引き出し扉２５の操作部４３に設けられ、図１に示す如く引き出し扉操作スイッチ４１のスイッチ信号が制御部２３に入力されることで第２の自動開扉装置３３のソレノイド３７に開扉信号が入力されるようになっている。制御部２３は回転扉操作スイッチ１９からのスイッチ信号と引き出し扉操作スイッチ４１のスイッチ信号に基づき第１、第２の自動開扉装置１３，３３に開扉信号をそれぞれ出力する。
【００２６】
第１、第２の自動開扉装置１３，３３の各押し出し部材１７，３９は、制御部２３からの開扉信号に基づき、第１の自動開扉装置１３の押し出し部材１７の押し出し速さＶが、第２の自動開扉装置３３の押し出し部材３９の押し出し速さＶ１に対しＶ＞Ｖ１の関係となるように設定されている。
【００２７】
これにより、回転扉１１のヒンジ点から一番離れた扉端部１１ａの開扉速度は２０〜３８ｃｍ／ｓ、好ましくは２９ｃｍ／ｓが得られるようになっている。
【００２８】
一方、引き出し扉２５の扉前端部２５ａの開扉速度は７．８〜１７ｃｍ／ｓ、好ましくは１３ｃｍ／ｓが得られるようになっている。
【００２９】
このように構成された冷蔵庫によれば、回転扉操作スイッチ１９をスイッチ操作すると第１の自動開扉装置１３の押し出し部材１７が作動し、回転扉１１を前方へ向かって押し出すためヒンジ１２を支点として楽に開くようになる。
【００３０】
また、引き出し扉操作スイッチ４１をスイッチ操作すると第２の自動開扉装置３３の押し出し部材３９が作動し、引き出し扉２５を前方へ向かって押し出すため楽に開くようになる。
【００３１】
この第１、第２の自動開扉装置１３，３３の作動時、回転扉１１は速い開扉速度Ｖで開けることができる。また、引き出し扉２５は回転扉１１より遅い開扉速度Ｖ１で開けることができるため、扉の開扉にあたって手で扉を開ける時と同じように違和感なく自然に開けることができる。
【図面の簡単な説明】
【００３２】
【図１】本発明にかかる第１、第２の自動開扉装置のブロック説明図。
【図２】第１、第２の自動開扉装置を実施した状態を示した、冷蔵庫の一部切断概要側面図。
【図３】第１、第２の自動開扉装置によって回転扉と引き出し扉が開扉された状態を示す冷蔵庫の概要斜視図。
【図４】回転扉操作スイッチと引き出し扉操作スイッチを示した冷蔵庫の概要正面図。
【図５】回転扉と引き出し扉の開扉速度の実験結果を示した説明図。
【符号の説明】
【００３３】
１    冷蔵庫本体
３    冷蔵室
５    野菜室
１１    回転扉
１１ａ    回転扉の扉端部
１２    ヒンジ
１３    第１の自動開扉装置
１５，３７    ソレノイド
１７，３９    押し出し部材
１９    回転扉操作スイッチ
２３    制御部
２５    引き出し扉
２５ａ    扉前端部
３３    第２の自動開扉装置
【図１】
0004966168.tif 000002
【図２】
0004966168.tif 000003
【図３】
0004966168.tif 000004
【図４】
0004966168.tif 000005
【図５】
0004966168.tif 000006